(57)【要約】【課題】内気用ファン等の本体ケースへの組み付け作業性を向上させる。【解決手段】本体ケース１１側のうち、内気用ファンユニット４０を固定するためのファンユニット固定部６１に本体ケース側第１端子６５を固定し、内気用ファンユニット４０のモータブラケット４２のうち、内気用ファンユニット４０をファンユニット固定部６１、６２に固定した状態のときに本体ケース側第１端子６５と直接接続される位置にファン側端子４６を固定する。これにより、内気用ファンユニット４０の本体ケース１１への組み付けでは、内気用ファンユニット４０の本体ケース１１側への取り付けの完了と同時に、内気用ファンユニット４０のファン側端子４６と、本体ケース側の本体ケース側第１端子６５との接続を完了させることができる。  【選択図】図５
2009181988.tif 000002
【特許請求の範囲】
【請求項１】
筐体（２）に取り付けられ、前記筐体の内部空気が流通する内部空気流路（３１）および前記筐体の外部空気が流通する外部空気通路（３２）を形成する本体ケース（１１）と、
前記本体ケース（１１）に収容され、前記内部空気通路を流通する前記筐体の内部空気と、前記外部空気通路を流通する前記筐体の外部空気とを、直接もしくは間接的に熱交換させることで、前記筐体の内部空気を冷却する熱交換手段（１２、１３、１４、１５）と、
前記本体ケース（１１）の前記内部空気通路（３１）と前記外部空気通路（３２）の少なくとも一方に収容されるファン（１６）と、
前記ファン（１６）を駆動するモータ（４１）と、
前記モータ（４１）に固定され、前記モータ（４１）を前記本体ケース（１１）に取り付けるためのブラケット（４２）と、
前記ファン側に設けられ、前記モータ（４１）に電気的に接続されるファン側端子（４６）と、
前記本体ケース側に設けられ、前記ファン側端子（４６）と電気的に接続される本体ケース側端子（６５）とを備える冷却装置において、
前記ファン（１６）と、前記モータ（４１）と、前記ブラケット（４２）とによってファンユニット（４０）が構成されており、
前記本体ケース（１１）は、前記ファンユニット（４０）の前記ブラケット（４２）が固定されるファンユニット固定部（６１、６２）を有しており、
前記ファンユニット（４０）の前記本体ケース（１１）への取り付けと同時に、前記ファン側端子（４６）と前記本体ケース側端子（６５）とが接続されるように、前記本体ケース側端子（６５）は、前記本体ケース（１１）のうち前記ファンユニット（４０）を前記ファンユニット固定部（６１、６２）に固定した状態のときに前記ブラケット（４２）に対向する位置に固定されていると共に、前記ファン側端子（４６）は、前記ブラケット（４２）のうち前記ファンユニット（４０）を前記ファンユニット固定部（６１、６２）に固定した状態のときに前記本体ケース側端子（６５）と直接接続される位置に固定されていることを特徴とする冷却装置。
【請求項２】
前記本体ケース側端子（６５）は、前記ファンユニット固定部（６１、６２）に設けられていることを特徴とする請求項１に記載の冷却装置。
【請求項３】
筐体（２）に取り付けられ、前記筐体の内部空気が流通する内部空気流路（３１）および前記筐体の外部空気が流通する外部空気通路（３２）を形成する本体ケース（１１）と、
前記本体ケース（１１）に収容され、前記内部空気通路を流通する前記筐体の内部空気と、前記外部空気通路を流通する前記筐体の外部空気とを、直接もしくは間接的に熱交換させることで、前記筐体の内部空気を冷却する熱交換手段（１２、１３、１４、１５）と、
前記本体ケース（１１）の前記内部空気通路（３１）と前記外部空気通路（３２）の少なくとも一方に収容されるファン（１６）と、
前記ファン（１６）を駆動するモータ（４１）と、
前記本体ケース（１１）に収容され、前記モータ（４１）の駆動制御を行う制御装置（１８）と、
前記制御装置側に設けられ、前記制御装置（１８）と電気的に接続される制御装置側端子（８３、８４）と、
前記本体ケース側に設けられ、前記制御装置側端子（８３、８４）と電気的に接続される本体ケース側端子（９３、９４）とを備える冷却装置において、
前記制御装置（１８）は、制御部（８１）と前記制御部（８１）を保持する保持部材（８２）とを有しており、
前記本体ケース（１１）は、前記制御装置（１８）の前記保持部材（８２）が固定される制御装置固定部（９１、９２）を有しており、
前記制御装置（１８）の前記本体ケース（１１）への取り付けと同時に、前記制御装置側端子（８３、８４）と前記本体ケース側端子（９３、９４）とが接続されるように、前記本体ケース側端子（９３、９４）は、前記本体ケース（１１）のうち前記制御装置（１８）を前記制御装置固定部（９１、９２）に固定した状態のときに前記保持部材（８２）に対向する位置に固定されていると共に、前記制御装置側端子（８３、８４）は、前記保持部材（８２）のうち前記制御装置（１８）を前記制御装置固定部（９１、９２）に固定した状態のときに前記本体ケース側端子（９３、９４）と直接接続される位置に固定されていることを特徴とする冷却装置。
【請求項４】
前記本体ケース側端子（９３、９４）は、前記制御装置固定部（９１、９２）に設けられていることを特徴とする請求項３に記載の冷却装置。
【請求項５】
前記端子（４６、６５、８３、８４、９３、９４、１０４、１１４）は、複数種類の電気配線に電気的に接続された端子がまとめられた端子ユニットとして構成されていることを特徴とする請求項１ないし４のいずれか１つに記載の冷却装置。
【発明の詳細な説明】
【技術分野】
【０００１】
本発明は、冷却装置に関するものであり、例えば、携帯電話通信網基地局の局舎内の空気温度を制御する冷却装置に適用可能なものである。
【背景技術】
【０００２】
従来、携帯電話通信網基地局の局舎内の空気温度を制御する冷却装置として、例えば、特許文献１に記載されているものがある。この冷却装置は、筐体としての局舎の内部空間と連通する内部空気流路および局舎の外部と連通する外部空気通路を形成する本体ケースと、局舎の内部空気（以下、内気と呼ぶ）を本体ケースの内部空気通路に流通させる内気用ファンと、局舎の外部空気（以下、外気と呼ぶ）を本体ケースの外部空気通路に流通させる外気用ファンと、局舎の内気と外気とを混合させることなく熱交換させることで、内気を冷却する熱交換手段とを備えている。
【特許文献１】特開２００７−１４７２６２号公報
【発明の開示】
【発明が解決しようとする課題】
【０００３】
図９に、本発明者が検討した冷却装置の全体構成を示す。なお、図９では、図１の冷却装置と同等の構成部に図１と同一の符号を付している。
【０００４】
図９に示す冷却装置１は、内気用ファン１６と、外気用ファン１７と、内気用ファン１６および外気用ファン１７のモータの駆動および回転数を制御する制御装置１８とを備えている。そして、内気用ファン１６、外気用ファン１７および制御装置１８は、それぞれ、本体ケース１１に
ねじ止め固定された後、内気用ファン１６に連なる電気配線と制御装置１８に連なる電気配線とが端子１９ａ、１９ｂで接続され、外気用ファン１７に連なる配線と制御装置１８に連なる配線とが端子１９ｃ、１９ｄ、１９ｅ、１９ｆで接続される構成となっている。
【０００５】
しかし、内気用ファン１６、外気用ファン１７および制御装置１８を本体ケース１１側に固定した後に、内気用ファン１６−制御装置１８間の配線の接続、外気用ファン１７−制御装置１８間の配線の接続作業を行う場合では、狭隘部での作業となるために作業性が悪いという問題が生じる。
【０００６】
また、内気用ファン１６−制御装置１８間の配線の接続、外気用ファン１７−制御装置１８間の配線の接続作業では、端子１９（１９ａ〜１９ｆ）の接続における誤接続を防ぐために、特定の端子同士のみが接続されるように、配線の種類に応じて端子の形状を変更したり、端子に連なる配線の長さを変えて、特定の端子同士は届くが、異なる端子同士では配線を短くして届かないようにしたりする等の誤接続防止対策を施す必要がある。しかしながら、このような誤接続防止対策を施すと、複数種類の端子が必要となって、端子の選定が必要となったり、配線長さの調整に手間がかかったりする等の問題が生じる。
【０００７】
本発明は上記点に鑑みて、図９に示す構成の場合のように、内気用ファン、外気用ファンおよび制御装置を本体ケースに固定した後、内気用ファン−制御装置間の配線の接続、外気用ファン−制御装置間の配線の接続をすることで、内気用ファン、外気用ファンおよび制御装置を本体ケースへの組み付けを行う場合と比較して、内気用ファン、外気用ファンおよび制御装置の本体ケースへの組み付け作業性を向上させることを目的とする。
【課題を解決するための手段】
【０００８】
上記目的を達成するため、請求項１に記載の発明では、ファンユニット（４０）の本体ケース（１１）への取り付けと同時に、ファン側端子（４６）と本体ケース側端子（６５）とが接続されるように、本体ケース側端子（６５）は、本体ケース（１１）のうちファンユニット（４０）をファンユニット固定部（６１、６２）に固定した状態のときにブラケット（４２）に対向する位置に固定されていると共に、ファン側端子（４６）は、ブラケット（４２）のうちファンユニット（４０）をファンユニット固定部（６１、６２）に固定した状態のときに本体ケース側端子（６５）と直接接続される位置に固定されていることを特徴としている。
【０００９】
これによれば、本体ケースのうち、ファンユニットをファンユニット固定部に固定した状態のときにブラケットに対向する位置に本体ケース側端子を固定し、ブラケットのうち、ファンユニットをファンユニット固定部に固定した状態のときに本体ケース側端子と直接接続される位置にファン側端子を固定しているので、ファンユニットの本体ケースへの取り付けと同時にファン側端子と本体ケース側端子とを接続できる。
【００１０】
よって、ファンユニットの本体ケースへの取り付けと、ファン側端子と本体ケース側端子との接続とを別々に行う場合と比較して、ファンユニットの本体ケースへの組み付け作業性を向上させることができる。  
【００１１】
また、請求項２に記載の発明では、本体ケース側端子（６５）は、ファンユニット固定部（６１、６２）に設けられていることを特徴としている。これによれば、本体ケース側端子を固定するための部分をファンユニット固定部とは別に本体ケースに設ける必要を無くすことができる。
【００１２】
また、請求項３に記載の発明では、制御装置（１８）の本体ケース（１１）への取り付けと同時に、制御装置側端子（８３、８４）と本体ケース側端子（９３、９４）とが接続されるように、本体ケース側端子（９３、９４）は、本体ケース（１１）のうち制御装置（１８）を制御装置固定部（９１、９２）に固定した状態のときに保持部材（８２）に対向する位置に固定されていると共に、制御装置側端子（８３、８４）は、保持部材（８２）のうち制御装置（１８）を制御装置固定部（９１、９２）に固定した状態のときに本体ケース側端子（９３、９４）と直接接続される位置に固定されていることを特徴としている。
【００１３】
これによれば、本体ケースのうち、制御装置を制御装置固定部に固定した状態のときに保持部材に対向する位置に本体ケース側端子を固定し、保持部材のうち、制御装置を制御装置固定部に固定した状態のときに本体ケース側端子と直接接続される位置に制御装置側端子を固定しているので、制御装置の本体ケースへの取り付けと同時に制御装置側端子と本体ケース側端子とを接続できる。  
【００１４】
また、請求項４に記載の発明では、本体ケース側端子（９３、９４）は、制御装置固定部（９１、９２）に設けられていることを特徴としている。これによれば、本体ケース側端子を固定するための部分を制御装置固定部材とは別に本体ケースに設ける必要を無くすことができる。
【００１５】
また、端子に関しては、請求項５に示すように、端子（４６、６５、８３、８４、９３、９４、１０４、１１４）は、複数種類の電気配線に電気的に接続された端子がまとめられた端子ユニットとして構成されていることが好ましい。
【００１６】
なお、この欄および特許請求の範囲で記載した各手段の括弧内の符号は、後述する実施形態に記載の具体的手段との対応関係を示すものである。
【発明を実施するための最良の形態】
【００１７】
（第１実施形態）
本実施形態では、通信機器などが収納されている携帯電話基地局の局舎内を冷却する冷却装置を例として説明する。
【００１８】
まず、冷却装置全体の概略構成を説明する。図１（ａ）〜（ｄ）に、本発明の第１実施形態における冷却装置の全体構成を示す。また、図２に、冷却装置の局舎への設置状態を示す。なお、図１（ａ）は冷却装置を外気側正面から見たときの内部構成を示す図であり、図１（ｂ）、（ｃ）は、それぞれ、図１（ａ）中の冷却装置を矢印Ａ、Ｂ方向で見たときの内部構成を示す図であり、図１（ｄ）は、冷却装置を上方から見たときの内気側熱交換器１２と外気側熱交換器１３の配置を示す図である。また、図１（ａ）〜（ｃ）、図２では、図の上下方向が、冷却装置の天地方向である。
【００１９】
図２に示すように、本実施形態の冷却装置１は、筐体としての局舎２の扉３に取り付けられるものである。局舎２は、扉３が閉められたとき、密閉状態となる。また、局舎２の内部には、アンテナ４を介して、携帯電話機５や最寄りの交換局等と通信を行うための通信機器６が収納されており、この通信機器６が作動することで、通信機器６が発熱し、局舎２の内気温度が上昇する。
【００２０】
本実施形態の冷却装置１は、熱サイフォン原理を利用した沸騰冷却装置であり、図１（ａ）〜（ｃ）に示すように、本体ケース１１と、本体ケース１１の内部に収納される内気側熱交換器１２、外気側熱交換器１３、ガス配管１４、液配管１５、内気用ファン１６、外気用ファン１７および制御装置１８とを主に備えている。
【００２１】
本体ケース１１は、例えば、金属によって構成されており、図１（ａ）〜（ｄ）に示すように、直方体であり、図１（ａ）、（ｄ）のように、本体ケース１１を正面から見て、前面２１と、前面２１の奥側に位置する背面２２と、前面２１の左側に位置する左側面２３と、前面２１の右側に位置する右側面２４と、前面２１の上側に位置する上面２５と、前面２１の下側に位置する下面２６とを有している。
【００２２】
また、図２に示すように、本体ケース１１の背面２２が局舎２の内部に面し、前面２１が局舎２の外部に面するように、冷却装置１が局舎２の扉３に取り付けられるようになっている。
【００２３】
また、図１（ａ）、（ｄ）に示すように、本体ケース１１の内部は、隔壁２７によって、本体ケース１１の左右方向で２つの領域に分けられている。この隔壁２７は、本体ケース１１の内部に沿った形状であり、略長方形の略平板である。隔壁２７は、鉛直方向に平行となるように、本体ケース１１の前面２１、背面２２、上面２５および下面２６に対して垂直に配置されている。
【００２４】
また、本実施形態では、本体ケース１１の内部空間のうち、図１（ａ）中の左側が内気側領域３１であり、局舎２の内気が流通する内気流路となり、図１（ａ）中の右側が外気側領域３２であり、局舎２の外気が流通する外気流路となる。なお、内気側領域３１と外気側領域３２の配置は、左右逆であっても良い。
【００２５】
そして、図１（ａ）に示すように、内気側領域３１には、本体ケース１１の下側に内気側熱交換器１２が配置され、本体ケース１１の上側に内気用ファン１６が配置されている。一方、外気側領域３２には、本体ケース１１の上側に外気側熱交換器１３が配置され、本体ケース１１の下側に外気用ファン１７が配置されている。
【００２６】
また、図１（ｂ）、図２に示すように、本体ケース１１の背面２２のうち、内気用ファン１６に対向する位置と、内気側熱交換器１２に対向する位置とに、それぞれ、内気取り入れ口と、内気排出口となる開口部２２ａ、２２ｂが設けられている。
【００２７】
また、図１（ｃ）に示すように、本体ケース１１の前面２１のうち、外気用ファン１７に対向する位置と、外気側熱交換器１３に対向する位置とに、それぞれ、外気取り入れ口と、外気排出口となる開口部２１ａ、２１ｂが設けられている。
【００２８】
内気側熱交換器１２は、例えば、アルミニウム等の熱伝導率が高い金属材からなる多穴チューブの長手方向両端側をタンクにて閉塞し、チューブ間にフィンを配置した構成のマルチフローパス型のフィン−チューブ熱交換器であり、図１（ｂ）に示すように、内気側領域３１に内気流れに対して直列に２つ配置されている。
【００２９】
外気側熱交換器１３は、内気側熱交換器１２と同様に、例えば、アルミニウム等の熱伝導率が高い金属材からなる多穴チューブの長手方向両端側をタンクにて閉塞し、チューブ間にフィンを配置した構成のマルチフローパス型のフィン−チューブ熱交換器であり、図１（ｃ）に示すように、外気側領域３２に外気流れに対して直列に２つ設けられている。
【００３０】
また、内気側領域３１には、図１（ａ）、（ｂ）に示すように、２つのガス配管１４が配置されており、１つのガス配管１４は、１つの内気側熱交換器１２と、１つの外気側熱交換器１３とに接続されている。一方、外気側領域３２には、図１（ａ）、（ｃ）に示すように、２つの液配管１５が配置されており、１つの液配管１５は、１つの内気側熱交換器１２と１つの外気側熱交換器１３とに接続されている。これらのガス配管１４および液配管１５を介して、冷媒が内気側熱交換器１２と外気側熱交換器１３との間を循環するようになっている。なお、配管１４、１５を流れる冷媒としては、例えば、フロンガスを用いることができ、他の冷媒を採用してもよい。
【００３１】
このように、本実施形態の冷却装置１は、内気側熱交換器１２、外気側熱交換器１３、ガス配管１４、液配管１５により、密閉された冷媒回路が形成されており、このような独立した冷媒回路を２系統持っている。
【００３２】
この冷媒回路において、内気側熱交換器１２では、フィンを介して、外気よりも高温である内気と、チューブ内の液相冷媒との間で、熱交換がされる。これにより、内気の熱量が液相冷媒に移動することで、液相冷媒が沸騰して気相冷媒となり、内気が冷却される。
【００３３】
一方、外気側熱交換器１３では、フィンを介して、内気よりも低温である外気と、チューブ内の気相冷媒との間で熱交換がされる。これにより、気相冷媒が凝縮して、液相冷媒となり、冷媒の熱が外気に放出される。
【００３４】
このとき、外気側熱交換器１３は、内気側熱交換器１２よりも上側に配置されているので、気相冷媒と液相冷媒との密度差により、冷媒回路内の冷媒は、内気側熱交換器１２→ガス配管１４→外気側熱交換器１３→液配管１５→内気側熱交換器１２の順に、自然循環する。
【００３５】
このように、本実施形態の冷却装置１は、内気側熱交換器１２、外気側熱交換器１３での冷媒の熱交換サイクル（沸騰冷却サイクル）を利用して、局舎２の内気と外気とを混合させることなく、内気を冷却するようになっている。
【００３６】
また、本実施形態では、内気用ファン１６として、軸流ファンを１つ用いており、図１（ｂ）、図２に示すように、内気が、本体ケース１１の上方に位置する内気取り入れ口２２ａから取り入れられ、内気側領域３１を上から下に向かって流れ、本体ケース１１の下方に位置する内気排出口２２ｂから排出される。このため、局舎２の内気は、図２に示すように、冷却装置１の内部でＵターンするように、局舎２の内部を流れるようになっている。
【００３７】
また、本実施形態では、外気用ファン１７として、２つの遠心ファンを用いており、図１（ｃ）に示すように、外気が、本体ケース１１の下方に位置する外気取り入れ口２１ａから取り入れられ、外気側領域３２を下から上に向かって流れ、本体ケース１１の上方に位置する外気排出口２１ｂから排出される。このように、外気用ファン１７は、水平方向から吸入して、鉛直方向に吐出する空気流れを形成している。
【００３８】
また、制御装置１８は、内気用ファン１６および外気用ファン１７のモータの駆動および回転数を制御するものであり、本実施形態では内気側領域３１に収容されている。
【００３９】
次に、内気用ファン１６および制御装置１８について詳細に説明する。図３に、図１（ａ）中の冷却装置１を内気側正面（紙面奥側）から見たときの内気用ファン１６および制御装置１８の拡大図を示す。また、図４（ａ）に図３中の内気用ファンユニット４０の背面図を示し、図４（ｂ）に図４（ａ）中の内気用ファンユニット４０のＣ矢視側面図を示す。さらに、図５に図３中の内気用ファンユニット４０とファンカバー５０と制御装置１８と本体ケース１１の分解斜視図を示す。
【００４０】
本実施形態では、図３、５に示すように、内気用ファン１６を有する内気用ファンユニット４０とファンカバー５０とが本体ケース１１に取り付けられており、内気用ファン１６の下側に制御装置１８が本体ケース１１に取り付けられている。
【００４１】
内気用ファンユニット４０は、図４（ａ）、（ｂ）に示すように、内気用ファン１６と、内気用ファン１６を駆動するモータ４１と、モータブラケット４２とを有している。
【００４２】
モータブラケット４２はモータ４１を本体ケース１１に取り付けるためのものである。モータブラケット４２は、例えば、金属製であり、１枚の平板状の部材によって構成されており、モータ４１に接する面４２ａ以外の部位に開口部４２ｂを有する枠形状となっている。
【００４３】
モータブラケット４２は、後述する本体ケース側のファンユニット固定部に引っ掛ける引っ掛け部を設けるために、モータ４１に接する面４２ａに対して、その上端部４２ｃが直角に折り曲げられている。この上端部４２ｃは、平板状のモータブラケット４２の強度を高める補強部としての役割も果たす。
【００４４】
モータブラケット４２は、モータ４１に接する面４２ａがネジ４３によってモータ４１に固定されている。モータブラケット４２の左右両端部には、モータブラケット４２を本体ケース１１に固定するためのネジ４４が、モータブラケット４２から外れないように取り付けられている。なお、ネジ４４がモータブラケット４２から外れるようにしても良い。
【００４５】
また、モータブラケット４２の左右両端部の一方には、図３、図４（ａ）に示すように、電気配線４５を介して、モータ４１に電気的に接続されたファン側端子４６が固定されている。
【００４６】
ファンカバー５０は、図３に示すように、内気用ファン１６を覆っており、内気取り入れ口２２ａをなす開口部を有している。本実施形態のファンカバー５０は、内気取り入れ口２２ａから吸入される空気の整流作用を目的とした樹脂製のシュラウドである。ファンカバー５０は、その左右両端部がファンカバー固定用のネジ５１によって本体ケース１１側に固定されるようになっている。これらのネジ５１は、ファンカバー５０から外れないように取り付けられているが、ネジ５１がファンカバー５０から外れるようにしても良い。
【００４７】
制御装置１８は、図３、５に示すように、制御部としての制御基板８１と、制御部の保持部材としてのケース８２とを備えており、制御基板８１がケース８２内に保持されている。制御基板８１は、例えば、ＣＰＵ、ＲＯＭおよびＲＡＭ等を含んで構成される周知のマイクロコンピュータとその周辺回路から構成されるものであって、ＲＯＭ内に記憶された制御プログラムに基づいて、各種演算、処理を行うものである。ケース８２の形状は、本実施形態では直方体であるが、他の形状であっても良い。
【００４８】
本実施形態の制御装置１８は、ケース８２の本体ケース側の面（図３の紙面奥側の面）のうち、左右両端部の一方に、制御装置側第１端子８３と制御装置側第２端子８４とが設けられている。制御装置側第１端子８３は、内気用ファン１６のファン側端子４６と電気的に接続される端子であり、制御装置側第２端子８４は、後述する外気用ファン１７のファン側端子１０４と電気的に接続されるものである。制御装置側第１端子８３は電気配線８５を介して制御基板８１に電気的に接続されており、制御装置側第２端子８４は電気配線８６を介して制御基板８１に電気的に接続されている。
【００４９】
一方、本体ケース１１には、図３、５に示すように、一対のファンユニット固定部６１、６２と、一対のファンカバー固定部７１、７２と、一対の制御装置固定部９１、９２が設けられている。
【００５０】
一対のファンユニット固定部６１、６２は、内気用ファンユニット４０を固定する部分であり、具体的には、モータブラケット４２の左右両端部が接続される部分である。一対のファンユニット固定部６１、６２は、本体ケース１１の内壁面のうち、内気側領域３１を構成する左側面２３、隔壁２７に設けられており、本体ケース１１に内気用ファンユニット４０を収容したときにモータブラケット４２の左右両端部に対向する位置に配置されている。
【００５１】
ファンユニット固定部６１、６２は、本体ケース１１と同様の金属材料で構成され、本体ケース１１とは別の部材（別体）であって、Ｌ字状に屈曲された板状の部材である。ファンユニット固定部６１、６２は、左側面２３、隔壁２７に平行な面６１ｂ、６２ｂが左側面２３、隔壁２７に接触して固定されている。例えば、一方のファンユニット固定部６２は、左側面２３に設けられたネジ穴２３ａにネジ６４が嵌められることによって固定されている。他方のファンユニット固定部６１も同様に隔壁２７に固定されている。なお、ファンユニット固定部６１、６２を本体ケース１１と同一材料で一体に形成しても良い。
【００５２】
また、一対のファンユニット固定部６１、６２は、モータブラケット４２に対向する面６１ａ、６２ａを有しており、これらの面６１ａ、６２ａのうちモータブラケット４２に取り付けられるネジ４４に対応する位置に、ネジ穴６３が設けられている。これらの面６１ａ、６２ａが、モータブラケット４２の左右両端部に接続される部位である。
【００５３】
一対のファンカバー固定部７１、７２は、ファンカバー５０の左右両端部が固定される部分であり、本体ケース１１の内壁面のうち、内気側領域３１を構成する左側面２３、隔壁２７に設けられており、本体ケース１１にファンカバー５０を取り付けたときにファンカバー５０の左右両端部に対向する位置に配置されている。ファンカバー固定部７１、７２は、本実施形態では、隔壁２７、左側面２３の端部に位置している。
【００５４】
一対のファンカバー固定部７１、７２は、本体ケース１１を構成する部材を切断、曲げ等の加工によって、本体ケース１１と同一材料で一体成形されたものであり、ファンカバー５０の左右両端部に対向する面７１ａ、７２ａを有している。これらの面７１ａ、７２ａのうちファンカバー５０に取り付けられるネジ５１に対応する位置に、ネジ穴７３が設けられている。これらの面７１ａ、７２ａがファンカバー５０の左右両端部に接続される部位である。なお、ファンカバー固定部７１、７２を本体ケース１１と別体としても良い。
【００５５】
一対の制御装置固定部９１、９２は、制御装置１８の左右両端部が固定される部分であり、本体ケース１１の内壁面のうち、内気側領域３１を構成する左側面２３、隔壁２７に設けられており、本体ケース１１に制御装置１８を取り付けたときに制御装置１８の左右両端部に対向する位置に配置されている。
【００５６】
一対の制御装置固定部９１、９２は、例えば、ファンユニット固定部６１、６２と同様の形状である。制御装置固定部９１、９２は、制御装置１８に対向する面９１ａ、９２ａを有しており、これらの面９１ａ、９２ａに制御装置１８のケース８２が接続される。
【００５７】
さらに、本体ケース１１側において、一方のファンユニット固定部６１のモータブラケット４２に対向する面６１ａには、ファン側端子４６に直接接続される本体ケース側第１端子６５が設けられている。ここで、ファン側端子４６および本体ケース側第１端子６５は、給電と制御機能をまとめた端子ユニットであり、すなわち、制御装置１８から内気用ファン１６のモータ４１へ給電するための給電用配線同士を接続する端子部と、制御装置１８からのモータ４１の回転数制御のための制御信号を送信する通信用配線同士を接続する端子部等がまとめられた１つの端子である。また、例えば、ファン側端子４６はオス型であり、本体ケース側第１端子６５はメス型であり、両者は嵌合して接続されるものであり、市販品の採用が可能である。なお、後述する御装置側第１端子８３と本体ケース側第２端子９３、制御装置側第２端子８４と本体ケース側第３端子９４、ファン側端子１０４と本体ケース側第４端子１１４も同様である。
【００５８】
また、本体ケース１１側において、一方の制御装置固定部９１の制御装置１８に対向する面９１ａの上側に、制御装置側第１端子８３に直接接続される本体ケース側第２端子９３が設けられ、その面９１ａの下側に、制御装置側第２端子８４に直接接続される本体ケース側第３端子９４が設けられている。
【００５９】
また、本体ケース側第１端子６５と本体ケース側第２端子９３とは、電気配線９５を介して、電気的に接続されており、本体ケース側第３端子９４は、電気配線９６を介して、後述する本体ケース側第４端子１１４と電気的に接続されている。
【００６０】
このように、本実施形態では、本体ケース１１の隔壁２７には、モータブラケット４２の一端部が固定されるファンユニット固定部６１と、ファンカバー５０の一端部が固定されるファンカバー固定部７１と、制御装置１８の一端部が固定される制御装置固定部９１とが配置されている。同様に、本体ケース１１の左側面２３には、モータブラケット４２の他端部が固定されるファンユニット固定部６２と、ファンカバー５０の他端部が固定されるファンカバー固定部７２と、制御装置１８の他端部が固定される制御装置固定部９２とが配置されている。
【００６１】
そして、ファンユニット固定部６１のモータブラケット４２に対向する面６１ａに本体ケース側第１端子６５が固定され、モータブラケット４２のうち、内気用ファンユニット４０を一対のファンユニット固定部６１、６２に固定した状態のときに本体ケース側第１端子６５と直接接続される位置にファン側端子４６が固定されている。
【００６２】
また、制御装置固定部９１の制御装置１８に対向する面９１ａに本体ケース側第２端子９３と本体ケース側第３端子９４とが固定されており、制御装置１８のケース８２の本体ケース側の面のうち、制御装置１８を一対の制御装置固定部９１、９２に固定した状態のときに本体ケース側第２端子９３と本体ケース側第３端子９４とに直接接続される位置に、制御装置側第１端子８３と制御装置側第２端子８４とがそれぞれ固定されている。
【００６３】
次に、内気用ファンユニット４０と制御装置１８の本体ケース１１への組み付け手順を説明する。
【００６４】
図５に示すように、一対のファンユニット固定部６１、６２、一対のファンカバー固定部７１、７２、一対の制御装置固定部９１、９２が予め設けられている本体ケース１１と、内気用ファン１６のモータ４１にモータブラケット４２が組み付けられた内気用ファンユニット４０と、ファンカバー５０とを用意する。
【００６５】
先に、内気用ファンユニット４０を一対のファンユニット固定部６１、６２に固定すると同時に、ファン側端子４６と本体ケース側第１端子６５とを接続する。このとき、モータブラケット４２の上端部４２ｃを一対のファンユニット固定部６１、６２の上端６１ｃ、６２ｃに引っ掛けた後、モータブラケット４２のネジ４４をファンユニット固定部６１、６２のネジ穴６３に合わせて、内気用ファンユニット４０を一対のファンユニット固定部６１、６２に固定するだけで、ファン側端子４６と本体ケース側第１端子６５とが嵌合する。
【００６６】
続いて、ファンカバー５０を一対のファンカバー固定部７１、７２に固定する。このとき、ファンカバー５０のネジ５１をファンカバー固定部７１、７２のネジ穴７３に合わせることで、ファンカバー５０を固定する。これにより、内気用ファンユニット４０とファンカバー５０との本体ケース１１への組み付けが完了する。
【００６７】
続いて、制御装置１８を一対の制御装置固定部９１、９２に固定すると同時に、制御装置側第１端子８３と本体ケース側第２端子９３とを接続すると共に、制御装置側第２端子８４と本体ケース側第３端子９４とを接続する。制御装置１８においても、制御装置１８側に設けられる図示しないネジを、一対の制御装置固定部９１、９２側の図示しないネジ穴に合わせて、制御装置１８を一対の制御装置固定部９１、９２に固定するだけで、御装置側第１端子８３と本体ケース側第２端子９３とが嵌合し、制御装置側第２端子８４と本体ケース側第３端子９４とが嵌合する。
【００６８】
次に、外気用ファン１７について詳細に説明する。図６に図１（ａ）中の外気用ファン１７を含む外気用ファンユニット１００の拡大正面図を示し、図７に図６中の外気用ファンユニット１００のＤ矢視側面図を示す。さらに、図８に図１中の外気用ファンユニット１００（外気用ファン１７）と本体ケース１１の分解斜視図を示す。
【００６９】
外気用ファンユニット１００は、２つの外気用ファン１７と、ユニットケース１０１と、モータブラケット１０２とを備えている。
【００７０】
ユニットケース１０１は、主に、ファンの支持部材としての平面状の主壁面部１０１ａを有しており、さらに、ユニットケース１０１の枠を構成するように、主壁面部１０１ａの周囲に上面部１０１ｂ、側面部１０１ｃ、下面部１０１ｄを有している。この主壁面部１０１ａには、図６に示すように、２つの外気用ファン１７の吸い込み口にそれぞれ対応する位置に、開口部２１ａが設けられている。また、主壁面部１０１ａの裏面側には、２つの外気用ファン１７が配置されている。また、図６、７に示すように、ユニットケース１０１の左右両端部であって、側面部１０１ｃのうち主壁面部１０１ａとは異なる側の端部にフランジ部１０１ｅが設けられており、フランジ部１０１ｅには、外気用ファンユニット１００を本体ケース側に固定するためのネジ１０３と、外気用ファン１７と電気的に接続されたファン側端子１０４とが設けられている。このファン側端子１０４は、外気用ファンユニット１００の左右両端部のうち一方に１つ設けられている。
【００７１】
ブラケット１０２は、外気用ファン１７をユニットケース１０１に固定する固定部材であり、図７に示すように、主壁面部１０１ａから外気用ファン１７に沿ってＵ字状に張り出した形状となっている。ブラケット１０２は、外気用ファン１７を駆動するモータ１７ａと、ユニットケース１０１の主壁面部１０１ａとに固定されている。
【００７２】
なお、外気用ファンユニット１００においては、ブラケット１０２とユニットケース１０１とが、外気用ファン１７およびそのモータを本体ケース１１に取り付けるためのブラケット（取付部材）に相当する。
【００７３】
一方、本体ケース１１には、図８に示すように、一対のファンユニット固定部１１１、１１２が設けられている。具体的には、一方のファンユニット固定部１１１は、本体ケース１１の隔壁２７に設けられ、他方のファンユニット固定部１１２は、本体ケース１１の右側面２４に設けられている。一対のファンユニット固定部１１１、１１２は、外気用ファンユニット１００を固定する部分であり、具体的には、ユニットケース１０１のフランジ部１０１ｅが接続される部分である。
【００７４】
一対のファンユニット固定部１１１、１１２のユニットケース１０１のフランジ部１０１ｅに対向する面１１１ａ、１１２ａには、外気用ファンユニット１００のネジ１０３に対応する位置に、ネジ穴１１３が設けられている。
【００７５】
さらに、一方のファンユニット固定部１１１のフランジ部１０１ｅに対向する面１１１ａには、ファン側端子１０４に直接接続される本体ケース側第４端子１１４が設けられている。また、本体ケース側第４端子１１４は、上述の通り、制御装置１８に電気的に接続されている。外気には水分が含まれる場合があるので、ファン側端子１０４および本体ケース側第４端子１１４は、防水型の端子である。なお、上記した内気用ファンユニット４０のファン側端子４６と本体ケース側第１端子６５、御装置側第１端子８３と本体ケース側第２端子９３、制御装置側第２端子８４と本体ケース側第３端子９４も、防水型であることが望ましいが、非防水型のものであっても良い。
【００７６】
外気用ファンユニット１００のファン側端子１０４は、ユニットケース１０１のフランジ部１０１ｅのうち、外気用ファンユニット１００を一対のファンユニット固定部１１１、１１２に固定した状態のときに本体ケース側第４端子１１４と接続される位置に固定されている。
【００７７】
このような構成の外気用ファンユニット１００の本体ケース１１への組み付けは、以下の通り行われる。図８に示すように、一対のファンユニット固定部１１１、１１２が予め設けられている本体ケース１１と、外気用ファンユニット１００とを用意する。そして、内外気用ファンユニット１００を一対のファンユニット固定部１１１、１１２に固定すると同時に、ファン側端子１０４と本体ケース側第４端子１１４とを接続する。このとき、外気用ファンユニット１００のネジ１０３をファンユニット固定部１１１、１１２のネジ穴１１３に合わせて内外気用ファンユニット１００を一対のファンユニット固定部１１１、１１２に固定するだけで、ファン側端子１０４と本体ケース側第４端子１１４とが嵌合する。
【００７８】
以上の通り、本実施形態では、内気用ファンユニット４０、外気用ファンユニット１００および制御装置１８の本体ケース１１側への取り付けの完了と同時に、内気用ファンユニット４０、外気用ファンユニット１００および制御装置１８側の端子４６、１０４、８３、７４と、本体ケース側の端子６５、９３、９４、１１４との接続が完了するようになっている。
【００７９】
これにより、発明が解決しようとする課題の欄に記載のように、内気用ファン１６、外気用ファン１７および制御装置１８を本体ケース１１側に取り付けた後に、内気用ファン１６−制御装置１８間の配線の接続、外気用ファン１７−制御装置１８間の配線の接続作業を行う場合と比較して、内気用ファンユニット４０、外気用ファンユニット１００および制御装置１８の本体ケース１１側への組み付けの作業を簡略化し、作業時間を短縮でき、組み付け作業性を向上させることができる。
【００８０】
また、本実施形態によれば、内気用ファン１６、外気用ファン１７および制御装置１８を本体ケース１１側に取り付けた後に、内気用ファン１６−制御装置１８間の配線の接続、外気用ファン１７−制御装置１８間の配線の接続作業を行う場合に必要となる配線の種類に応じて端子の形状を変更したり、端子に連なる配線の長さを変えて、特定の端子同士は届くが、異なる端子同士では配線を短くして届かないようにしたりする等の誤接続防止対策の実施も省略できる。
【００８１】
なお、本体ケース側の端子６５、９３、９４、１１４の位置は、図５、図８に示す位置に限らず、ファンユニット固定部６１、６２、１１１、１１２、制御装置固定部９１、９２のうち、相手側端子と接続できる位置であればどこに配置しても良い。
【００８２】
（第２実施形態）
第１実施形態では、ファンユニット固定部６１のモータブラケット４２との接続面６１ａに、本体ケース側第１端子６５を設けていたが、ファンユニット固定部６１とは別の部材を本体ケース１１に設け、それに本体ケース側第１端子６５を設けても良い。ただし、この場合においても、内気用ファンユニット４０の本体ケース１１への取り付けと同時に、ファン側端子４６と本体ケース側第１端子６５とが接続されるように、本体ケース側第１端子６５を配置する。
【００８３】
同様に、第１実施形態では、制御装置固定部９１、９２に本体ケース側第２端子９３、本体ケース側第３端子９４を設け、ファンユニット固定部１１１、１１２に本体ケース側第４端子１１４を設けていたが、本体ケース１１のうち制御装置固定部９１、９２およびファンユニット固定部１１１、１１２とは別の部分に、本体ケース側第２端子９３、本体ケース側第３端子９４、本体ケース側第４端子１１４を設けても良い。
【００８４】
（他の実施形態）
（１）上記実施形態では、ファン側端子４６と本体ケース側第１端子６５とは、互いに嵌合することで電気的に接続されていたが、嵌合せず、単に接触することで両者が電気的に接続されるようにしても良い。制御装置側第１端子８３と本体ケース側第２端子９３、制御装置側第２端子８４と本体ケース側第３端子９４、ファン側端子１０４と本体ケース側第４端子１１４についても同様である。
【００８５】
（２）上記実施形態では、ファン側端子４６および本体ケース側第１端子６５は、それぞれ、給電と制御機能をまとめた１つの端子であったが、各機能ごとに分けられた複数の端子として、モータブラケット４２、ファンユニット固定部６１、６２それぞれの複数箇所に設けても良い。御装置側第１端子８３と本体ケース側第２端子９３、制御装置側第２端子８４と本体ケース側第３端子９４、ファン側端子１０４と本体ケース側第４端子１１４についても同様である。
【００８６】
（３）上記実施形態では、図５、図８に示すように、内気用ファンユニット４０、制御装置１８および外気用ファンユニット１００を本体ケース１１に対して水平方向にはめ込む構造となっていたが、本体ケース１１に対して鉛直方向にはめ込む構造としても良い。
【００８７】
また、内気用ファンユニット４０、制御装置１８および外気用ファンユニット１００のそれぞれの上下左右いずれかの位置にヒンジを取り付け、扉構造にしても良い。この場合、内気用ファンユニット４０、制御装置１８および外気用ファンユニット１００のそれぞれにおいて、ヒンジと反対側の部位に、ファン側端子４６、制御装置側第１端子８３、制御装置側第２端子８４およびファン側端子１０４を設ける。
【００８８】
（４）上記実施形態では、内気用ファン１６として、軸流ファンを用いていたが、遠心ファンを用いても良い。また、上記実施形態では、外気用ファン１７として、遠心ファンを用いていたが、遠心ファンの代わりに軸流ファンを用いても良い。また、ファンの個数は任意に変更可能である。また、上記実施形態では、内気用ファン１６と外気用ファン１７とを両方用いていたが、どちらか一方を省略しても良い。
【００８９】
（５）上記実施形態では、内気用ファン１６、外気用ファン１７および制御装置１８に本発明を適用していたが、本発明はそれらのうちの少なくとも１つに適用可能である。
【００９０】
（６）上記実施形態では、冷却装置の本体ケースとして、その内部に内気側領域３１と外気側領域３２とが本体ケース１１の左右方向に並べられた構造の本体ケース１１を用いていたが、内気側領域３１と外気側領域３２との配置が本実施形態と異なる本体ケースを用いても良い。例えば、本体ケースの内部を、隔壁によって、主に、上半分側と下半分側の領域に分け、外気が本体ケース内の上半分側を流れ、内気が本体ケース内の下半分側を流れる構成の本体ケースを用いても良い。
【００９１】
（７）上記実施形態では、冷媒回路の冷媒が自然循環する場合を説明したが、冷媒回路にポンプを設け、このポンプによって冷媒を強制循環させる構成としても良い。
【００９２】
（８）上記実施形態では、内気側熱交換器１２、外気側熱交換器１３、ガス配管１４および液配管１５を備える沸騰式の冷却装置を例として説明したが、内気側熱交換器１２、外気側熱交換器１３、ガス配管１４および液配管１５の本構成にコンプレッサ、膨張弁を追加することで冷凍サイクルと同等の構成となることから、冷凍サイクルによる冷却方式を採用した基地局用冷却装置にも本発明を適用することもできる。
【００９３】
（９）上記実施形態では、内気側熱交換器１２、外気側熱交換器１３、ガス配管１４および液配管１５を備える沸騰式の冷却装置、すなわち、内気と外気とを熱交換させる熱交換手段として、冷媒を介して、内気と外気とを混合させることなく間接的に熱交換させる熱交換器を用いる場合を例として説明したが、例えば、Ａｉｒ−ｔｏ−Ａｉｒ方式の冷媒を介さずに内気と外気とを直接的に熱交換させる熱交換器を用いた冷却装置に対して、本発明を適用することもできる。
【００９４】
（１０）上記実施形態では、本発明を携帯電話基地局用の冷却装置に適用した場合を例として説明したが、本発明を他の用途の冷却装置に適用することも可能である。ただし、携帯電話基地局用冷却装置は、ファンの取り替えニーズがあるため、本発明は、携帯電話基地局用冷却装置に適用した場合に、特に有効である。
【００９５】
（１１）上記した各実施形態を、実施可能な範囲で、任意に組み合わせても良い。
【図面の簡単な説明】
【００９６】
【図１】本発明の第１実施形態における冷却装置の全体構成を示す図であり、（ａ）は冷却装置の正面透視図であり、（ｂ）、（ｃ）は（ａ）中の冷却装置の側面透視図であり、（ｄ）は（ａ）中の冷却装置の上面透視図である。
【図２】図１中の冷却装置の局舎への設置状態を示す図である。
【図３】図１（ａ）中の冷却装置１を内気側正面から見たときの冷却装置１の内気用ファン１６部分の拡大図である。
【図４】（ａ）は図３中の内気用ファンユニット４０の背面図であり、（ｂ）は（ａ）中の内気用ファンユニット４０のＣ矢視側面図である。
【図５】図３中の内気用ファンユニット４０とファンカバー５０と制御装置１８と本体ケース１１の分解斜視図である。
【図６】図１（ａ）中の外気用ファン１７を含む外気用ファンユニット１００の拡大正面図である。
【図７】図６中の外気用ファンユニット１００のＤ矢視側面図である。
【図８】図１中の外気用ファン１７と本体ケース１１の分解斜視図である。
【図９】本発明者が検討した冷却装置の全体構成を示す図であり、（ａ）は冷却装置の正面透視図であり、（ｂ）、（ｃ）は（ａ）中の冷却装置の側面透視図であり、（ｄ）は（ａ）中の冷却装置の上面透視図である。
【符号の説明】
【００９７】
１      冷却装置
１１    本体ケース
１６    内気用ファン
１７    外気用ファン
１８    制御装置
４０    内気用ファンユニット
４２    モータブラケット
４６    ファン側端子
６１    ファンユニット固定部
６２    ファンユニット固定部
６５    本体ケース側第１端子
８３    制御装置側第１端子
８４    制御装置側第２端子
９１    制御装置固定部
９２    制御装置固定部
９３    本体ケース側第２端子
９４    本体ケース側第３端子
１００  外気用ファンユニット
１０４  ファン側端子
１１１  ファンユニット固定部
１１２  ファンユニット固定部
１１４  本体ケース側第４端子
【図１】
2009181988.tif 000003
【図２】
2009181988.tif 000004
【図３】
2009181988.tif 000005
【図４】
2009181988.tif 000006
【図５】
2009181988.tif 000007
【図６】
2009181988.tif 000008
【図７】
2009181988.tif 000009
【図８】
2009181988.tif 000010
【図９】
2009181988.tif 000011